(57)【要約】 【課題】  遊技盤扉の開閉時に隣接物との干渉回避を容易にする遊技機を提供することを目的とする。【解決手段】  遊技機１の遊技面３１の左側辺部に、遊技盤扉４を回動可能に取り付けている。遊技盤扉４は遊技面３１に回動可能に連結された連結体４１と、連結体４１に支持部材４７によって遊技盤３２を開放する方向に回動可能に接続された回動体４２とで構成されている。回動体４２には透明板フレーム４４に装着された透明板４３が取り付けられ、透明板４３は連結体４１と回動体４２とに跨るように設置され、連結体４１には透明板４３を回避する切欠部４１ｂが形成されている。回動体４２の背面には、連結体４１に係合可能なロックレバー４８が回動可能に取り付けられている。【選択図】  図３
2010022865.tif 000002
【特許請求の範囲】
【請求項１】
内部に透明板が取り付けられるとともに、回動することによって、遊技盤を前方から開閉可能に覆う遊技盤扉を備えた遊技機において、
前記遊技盤扉は回動することによって前記遊技盤の前方を開閉可能に覆う連結体と、前
記連結体の回動外方側に隣接して配置された回動体を含んでおり、前記回動体は前記連結
体に対して回動可能に接続されたことを特徴とする遊技機。
【発明の詳細な説明】
【技術分野】
【０００１】
本発明は、回動することによって、遊技盤を前方から開閉可能に覆う遊技盤扉を備えた遊技機に関する。
【背景技術】
【０００２】
近年、遊技場においては各遊技機の間に遊技球の販売装置が配され、その前方への突出
量が大きなものとなっている。また、ガラス扉の支持枠に形成された装飾飾りも豪華にな
り、突出量が大きくなってきている。遊技球の販売装置や支持枠の表面の前方への張り出
し量が大きくなることにより、遊技場の店員がガラス扉を開いて遊技盤に対して作業をす
る場合、回動されたガラス扉が販売装置に干渉するため、その回動量が制約を受けるとい
う問題があった。
【０００３】
従来技術として、透明板が装着されたガラス枠を、対になったアームによって支持しな
がら遊技盤の前方に引出し、その後、ガラス枠の側端部に形成されたレール部がアームに
対して摺動することによってガラス枠を上昇させ、遊技機の左右にある隣接物に影響を与
えずに、遊技盤に対する作業を可能にするパチンコ機があった（例えば、特許文献１参照
）。
【０００４】
しかしながら、ガラスを含んだガラス枠は相当な重量があり、前方に引出し更に上昇さ
せるためには、遊技場の店員にかなりの力を必要とする。また、遊技盤とガラス枠を連結
するアームを設け、ガラス枠の側端部にレール部を形成するため、遊技盤およびガラス枠
にそのためのスペースを確保しなければならず、遊技盤の遊技領域およびガラス枠のガラ
ス領域の狭小化につながる。更に、上述した構造を備えるために相当のコストアップも余
儀なくされる。
【特許文献１】特開２００２−８５７５９公報（第１図）
【発明の開示】
【発明が解決しようとする課題】
【０００５】
本発明は上記のような事情に基づいて完成されたものであって、遊技盤扉の開閉時に隣
接物との干渉回避を容易にする遊技機を提供することを目的とする。
【課題を解決するための手段】
【０００６】
＜手段１＞
内部に透明板が取り付けられるとともに、回動することによって、遊技盤を前方から開
閉可能に覆う遊技盤扉を備えた遊技機において、前記遊技盤扉は回動することによって前
記遊技盤の前方を開閉可能に覆う連結体と、前記連結体の回動外方側に隣接して配置され
た回動体を含んでおり、前記回動体は前記連結体に対して回動可能に接続されたことを特
徴とする遊技機。
【０００７】
＜手段２＞
前記透明板は前記回動体に固定されることによって、前記連結体および前記回動体に跨
って配設され、前記連結体に前記透明板を回避する切欠部が形成されたことを特徴とする
手段１に記載された遊技機。
【０００８】
＜手段３＞
前記連結体および前記回動体は互いに隣接する部位において、前記連結体および前記回
動体の内の一方に取り付けられた支持部材に他方が回動可能に接続され、前記遊技盤扉は
前記回動体と前記連結体との接続部において、折れ曲がることを特徴とする手段１または
手段２に記載された遊技機。
【０００９】
＜手段４＞
前記連結体および前記回動体のそれぞれの表面には装飾部材が設けられ、前記連結体お
よび前記回動体の内の一側の前記装飾部材は、前記連結体および前記回動体の前記接続部
を覆い隠すように、他側方向に張り出していることを特徴とする手段３に記載された遊技
機。
【００１０】
＜手段５＞
前記張り出した装飾部材は、前記連結体および前記回動体の内の一側に回動可能に設け
られ、前記回動体が前記連結体に対して回動する時には、前記張り出した装飾部材が前記
連結体および前記回動体の内の他側から押動されて回動することによって、前記回動体の
前記連結体に対する回動を妨げないことを特徴とする手段４に記載された遊技機。
【００１１】
＜手段６＞
前記張り出した装飾部材は、前記連結体および前記回動体の内の一側に移動可能に設け
られ、前記回動体が前記連結体に対して回動する時には、前記連結体および前記回動体の
内の他側が前記張り出した装飾部材を押動することによって、前記張り出した装飾部が前
記連結体および前記回動体の内の他側から離れる方向へ移動することによって、前記張り
出した装飾部材が前記回動体の前記連結体に対する回動を妨げないことを特徴とする手段
４に記載された遊技機。
【００１２】
＜手段７＞
前記支持部材は前記連結体および前記回動体の内の一方に対して突出可能に取り付けら
れ、前記回動体が前記連結体に対して回動する時には、前記支持部材が前記連結体および
前記回動体の内の一方から突出して、前記連結体および前記回動体の接続部における互い
の距離を増大させることによって、前記張り出した装飾部材が前記回動体の前記連結体に
対する回動を妨げないことを特徴とする手段４に記載された遊技機。
【００１３】
＜手段８＞
前記連結体の上端部および下端部に一対のステーが取り付けられ、前記回動体の上端部
および下端部において、前記連結体に隣接する部位から所定距離だけ内部に入った部位を
前記ステーの先端部に回動可能に接続し、前記回動体は前記ステーの先端部に位置する回
動軸を中心に前記連結体に対して回動可能であることを特徴とする手段１または手段２に
記載された遊技機。
【００１４】
＜手段９＞
前記透明板はフレームに装着され、前記フレームを前記回動体に固定するとともに、前
記連結体の背面には係合溝が形成され、前記回動体が前記連結体に対して回動していない
状態において、前記フレームの前端部が前記係合溝に嵌装されることを特徴とする手段１
乃至手段８の内のいずれかに記載された遊技機。
【００１５】
＜手段１０＞
前記連結体および前記回動体の互いに隣接する部位において、互いに対向する対向面の
内の一側に凸部を形成するとともに、他側に前記凸部に対応する凹部を形成して、前記凸
部と前記凹部とが係合することによって、前記回動体が前記連結体に対して遊技盤を閉じ
る方向に回動することを規制することを特徴とする手段１乃至手段９の内のいずれかに記
載された遊技機。
【００１６】
＜手段１１＞
前記連結体および前記回動体の互いに隣接する部位において、前記連結体および前記回
動体の内のいずれかに取り付けられ、相手側に係合可能なロックレバーを設け、前記ロッ
クレバーを相手側に係合させることによって前記回動体を前記連結体に対して回動不能に
することを特徴とする手段１乃至手段１０の内のいずれかに記載された遊技機。
【発明の効果】
【００１７】
＜手段１の発明＞
遊技盤扉は回動することによって遊技盤の前方を開閉可能に覆う連結体と、連結体の回
動外方側に隣接して配置された回動体を含んだ構成としたため、隣接物との干渉を回避す
るために、連結体の回動量を少なくしても、回動体を連結体に対して回動させて遊技盤の
前方を開放することができ、遊技機の隣接物に影響を与えずに、遊技盤に対する作業を容
易にすることができる。
【００１８】
＜手段２の発明＞
透明板を回動体に固定して、連結体および回動体に跨って配設し、連結体に透明板を回
避する切欠部が形成された構成としたことにより、回動体が連結体に対して回動するにも
かかわらず、透明板を従来よりも狭小化する必要がない。
【００１９】
＜手段３の発明＞
連結体および回動体を互いに隣接する部位において支持部材にて接続し、遊技盤扉が連
結体と回動体との接続部において折れ曲がる構成としたことにより、簡素な構造で遊技機
の隣接物に影響を与えない遊技盤扉にすることができる。
【００２０】
＜手段４の発明＞
連結体および回動体の内の一側に設けられた装飾部材が、連結体および回動体の接続部
を覆い隠すように他側方向に張り出していることにより、見栄えのよい遊技盤扉とするこ
とができる。
【００２１】
＜手段５の発明＞
回動体が連結体に対して回動する時にその回動動作を妨げないように、張り出した装飾
部材が他側から押動されて回動するように設けられていることにより、回動作業性のよい
遊技盤扉とすることができる。
【００２２】
＜手段６の発明＞
回動体が連結体に対して回動する時にその回動動作を妨げないように、張り出した装飾
部材が他側から押動されて、連結体および回動体の内の他側から離れる方向へ移動するよ
うに設けられていることにより、回動作業性のよい遊技盤扉とすることができる。
【００２３】
＜手段７の発明＞
回動体が連結体に対して回動する時に、支持部材が連結体および回動体の内の一方から
突出して、連結体および回動体の接続部における互いの距離を増大させることにより、張
り出した装飾部材が回動体の回動動作を妨げることがなく、回動作業性のよい遊技盤扉と
することができる。
【００２４】
＜手段８の発明＞
回動体の連結体に隣接する部位から所定距離だけ内部に入った部位を、連結体に取り付
けられた一対のステーの先端部に回動可能に接続し、回動体をステーの先端部に位置する
回動軸を中心に連結体に対して回動可能な構成としたことにより、回動体を連結体に対し
て回動させた場合に、遊技盤扉が遊技機の隣接物に対して張り出す量を減少させることが
でき、隣接物に対する影響を少なくすることができる。
【００２５】
＜手段９の発明＞
回動体が連結体に対して回動していない状態において、透明板を装着したフレームの前
端部が連結体の背面に形成された係合溝に嵌装されることにより、透明板と連結体との間
からピアノ線等を侵入させようとしても、係合溝に嵌装されたフレームの前端部に阻まれ
て侵入させることができず、不正行為を防ぐ遊技機とすることができる。
【００２６】
＜手段１０の発明＞
連結体および回動体の接続部に、互いに係合することによって回動体が連結体に対して
遊技盤を閉じる方向に回動することを規制する凸部および凹部が形成されたことにより、
回動体が連結体に対して戻り回動する場合、戻りすぎることがなく回動作業性のよい遊技
盤扉とすることができる。
【００２７】
＜手段１１の発明＞
連結体および回動体の内のいずれかに取り付けられ、相手側に係合可能なロックレバー
を設けた構成としたことにより、回動体を連結体に対して回動させる必要がない場合に、
回動体を連結体に固定することができる。
【発明を実施するための最良の形態】
【００２８】
＜第１実施形態＞
本発明の第１実施形態を図１乃至図７によって説明する。遊技機１は背面に設置された
外枠２、外枠２に左端部にて開閉可能に連結されることによって、その前面を閉じる遊技
機本体枠３および遊技機本体枠３の向かって左側辺部に回動可能に取り付けられた遊技盤
扉４によって構成されている。外枠２には図示しないコントローラが内蔵されており、遊
技機１の動作を制御する。
【００２９】
遊技機本体枠３は、その上部に設置され、図示しない遊技球発射装置によって発射され
た遊技球が送り込まれる遊技面３１と、遊技面３１の下段に設置された操作領域３４とに
よって構成されている。また、遊技面３１は前方に張り出し矩形をした枠状の前枠３３と
、前枠３３の背面に固定された遊技盤３２とによって構成されている。遊技面３１のすぐ
下には、発射される前の遊技球が待機するとともに、操作領域３４に含まれる遊技球受け
皿３５が設けられており、操作領域３４の右下方部には遊技球の発射速度を調整する操作
ハンドル３６が設置されている。更に、操作ハンドル３６の左方には遊技球の排出皿３７
および灰皿３８が設置されている。
【００３０】
遊技機本体枠３の遊技面３１の左側辺部には、遊技盤扉４が上下一対のヒンジ４６（図
２乃至図４において下方の１つのみ示す）によって、その左側端部において、上下方向に
延びる第１回動軸Ａ１を中心に回動可能に取り付けられており、これによって遊技盤扉４
は遊技面３１（遊技盤３２）を前方から開閉可能に覆っている。遊技盤扉４は、上述した
ように遊技面３１に回動可能に連結された左側端部を含み、遊技盤３２の前方を開閉可能
に覆っている連結体４１と、連結体４１の回動外方側に該当する右側端部に隣接して配置
された回動体４２を備えている。回動体４２は連結体４１よりも大きく形成され、連結体
４１の右側端部に遊技面３１を開放する方向に回動可能に接続されている。図１に示すよ
うに、連結体４１および回動体４２の表面には、パーティングＰにおいて互いに分離され
た装飾部材４１ａ、４２ａが設けられている。
【００３１】
図４に示すように、遊技盤扉４は、連結体４１と回動体４２とを隣接させて接続してお
り、連結体４１と回動体４２には、それぞれ切欠部４１ｂと収容部４２ｂが形成されてい
る。切欠部４１ｂおよび収容部４２ｂによって、遊技盤扉４の中央部には円形の遊技孔４
ａが形成され、更に、連結体４１および回動体４２の背面には、遊技孔４ａの周囲を囲む
ようにそれぞれ係合溝４１ｃ、４２ｃが設けられている。
【００３２】
円形の透明板４３は、ガラスあるいはアクリル樹脂またはポリカーボネート樹脂等の合
成樹脂を材料として、遊技孔４ａよりもやや大きく形成されている。透明板４３を金属等
によって形成された透明板フレーム４４に装着した後、透明板４３が遊技孔４ａを覆うよ
うに、透明板フレーム４４を係合溝４１ｃ、４２ｃに係合させ、その後、ビス４５を透明
板フレーム４４の周囲にある４つのフランジ４４ａに形成された貫通孔４４ａ１に挿通さ
せた後、回動体４２の背面に形成されたボス部４２ｄのねじ孔４２ｄ１に螺合させること
によって、透明板４３は透明板フレーム４４とともに回動体４２に固定される。図２に示
すように、透明板４３は回動体４２に固定された状態で、連結体４１と回動体４２に跨っ
て設置され、連結体４１に形成された切欠部４１ｂは透明板４３を回避している。
【００３３】
図５に示すように、連結体４１と回動体４２が互いに隣接している部位においては、連
結体４１の端部に支持部材４７が固着され、支持部材４７の先端部はピン４７ａを介して
回動体４２に回動可能に連結されており、回動体４２はピン４７ａを通り上下方向に延び
る第２回動軸Ａ２（第１回動軸Ａ１と第２回動軸Ａ２とは互いに平行である）を中心に、
連結体４１に対して遊技面３１を開放する方向（連結体４１が遊技面３１に対して回動す
る方向と同じ方向）に回動可能に接続されている。これによって、遊技盤扉４は連結体４
１と回動体４２との接続部において、第２回動軸Ａ２を中心に折れ曲がり可能とされてい
る。尚、支持部材４７は連結体４１と回動体４２との接続部において、上下２箇所に設け
られている。
【００３４】
また、回動体４２の連結体４１との対向面には凸部４２ｅが形成され、連結体４１の対
向面には凸部４２ｅに対応する凹部４１ｅが形成されている。更に、遊技機１の見栄えを
向上させるために、連結体４１に設けられた装飾部材４１ａを回動体４２への方向に張り
出させることによって、連結体４１と回動体４２との接続部を覆い隠している。装飾部材
４１ａは、その端部においてヒンジピン４１ａ１によって連結体４１に回動可能に設けら
れている。
【００３５】
上述した構成により、図５（ｂ）に示すように、回動体４２は連結体４１に対して支持
部材４７のピン４７ａを中心に遊技面３１を開放する方向（図５において時計方向）に回
動可能に接続されている。回動体４２が連結体４１に対して遊技面３１を開放する方向に
回動するとき、装飾部材４１ａは回動体４２によって押動され、図に示すようにヒンジピ
ン４１ａ１を中心に回動して、回動体４２に設けられた装飾部材４２ａに乗り上げるため
、回動体４２の回動動作の妨げにはならない。
【００３６】
また、回動体４２が連結体４１に対して回動していない状態（図５（ａ）示）から、遊
技面３１を閉じる方向（図５において反時計方向）に回動しようとしても、回動体４２の
凸部４２ｅが連結体４１の凹部４１ｅに係合することにより回動が規制される。
【００３７】
連結体４１と回動体４２との接続部の変形例として、図６に示すように支持部材４７を
連結体４１の端部に形成された支持孔４１ｄ内に、連結体４１から突出するように移動可
能に取り付けるとともに、装飾部材４１ａを連結体４１と回動体４２との接続部を覆うよ
うに、連結体４１に移動不能に設けてもよい。
【００３８】
この変形例においては、回動体４２の連結体４１に対する遊技面３１を開放する方向へ
の回動動作によって、回動体４２が連結体４１に設けられた装飾部材４１ａの端部を押動
することによって装飾部材４１ａから反力を受け、回動体４２に連結された支持部材４７
が図上右方向への引張力を受ける。これによって、図６（ｂ）に示すように、支持部材４
７が支持孔４１ｄから突出して、連結体４１と回動体４２の接続部において互いの間の距
離が増大し、連結体４１に設けられた装飾部材４１ａが回動体４２の回動の妨げとなるこ
とを防ぐ。尚、支持部材４７には支持孔４１ｄからの脱落防止のための手段がとられてい
ることは言うまでもない。
【００３９】
また、回動体４２が連結体４１に対して回動する時に、回動体４２が装飾部材４１ａを
押動する構成ではなく、回動体４２を回動させる店員が、手で引っ張ることによって回動
体４２を連結体４１から引き離すようにしてもよい。あるいは、連結体４１と回動体４２
との間に付勢部材を介装して、回動体４２の回動時に、後述するロックレバー４８と連結
体４１との係合を解除して、付勢部材の付勢力によって連結体４１と回動体４２との間を
引き離すようにしてもよい。
【００４０】
図２および図３に戻って、回動体４２の連結体４１との接続部には、その背面にロック
レバー４８が枢支軸４８ａによって回動可能に取り付けられている。ロックレバー４８の
先端部には係合スリット４８ｂ（図３示）が形成され、連結体４１の背面に取り付けられ
た係合ピン４１ｆに係合可能となっている。回動体４２が連結体４１に対して回動してい
ない状態で、ロックレバー４８を連結体４１の係合ピン４１ｆに係合させることによって
、回動体４２が連結体４１に対して固定されて回動不能にすることができる。
【００４１】
図７に示すように回動体４２が連結体４１に対して回動されていない状態において、前
述したように、透明板４３が装着された透明板フレーム４４の前端部４４ｂは、連結体４
１の背面に形成された係合溝４１ｃ内に嵌装されるため、遊技機１の使用者が遊技盤扉４
の前方から透明板４３と連結体４１との間に（図７において左方から右方へ向けて）ピア
ノ線等を侵入させようとしても、屈曲した係合溝４１ｃと透明板フレーム４４の前端部４
４ｂとの間を侵入させることができず、不正行為を防ぐ遊技機１とすることができる。尚
、図１に示すように、回動体４２の表面には、遊技盤扉４を遊技機本体枠３に対して開放
不能に施錠するためのキーホール４２ｆが設置されている。
【００４２】
次に、上述した実施形態による遊技機１において、遊技面３１に対する作業方法につい
て説明する。遊技機１の遊技面３１において、例えば遊技球つまりが発生すると、遊技場
の店員は遊技盤扉４に設けられたキーホール４２ｆに鍵を挿入して操作し開錠状態にして
から、遊技盤扉４を遊技機本体枠３に対して回動させて遊技面３１を開放状態にする。
【００４３】
この場合、最初にロックレバー４８を連結体４１に係合させたまま、遊技盤扉４を一体
として遊技面３１に対して回動させる。遊技盤扉４の回動角度は隣接物との干渉を考慮し
た場合、９０°未満にするのが好ましい。その後、ロックレバー４８と連結体４１との係
合を解除して、更に、回動体４２を連結体４１に対して、遊技面３１の前方を開放する方
向（連結体４１の遊技面３１に対する回動方向と同じ方向）に回動させることによって、
遊技面３１の前方をいっそう広く開放することになり、店員の作業性を向上させることが
できる。
【００４４】
店員が遊技面３１に対する作業を終了した時には、回動体４２を連結体４１に対して戻
り回動させた後、ロックレバー４８を連結体４１へ係合させる。これによって遊技盤扉４
を一体とした後、遊技盤扉４を遊技面３１に対して戻り回動させて、遊技面３１の前方を
閉じ、キーホール４２ｆに対して施錠する。尚、回動体４２を連結体４１に対して戻り回
動させた時、連結体４１の凹部４１ｅと回動体４２の凸部４２ｅとが係合して、回動体４
２が連結体４１に対して、それ以上戻り回動しないように規制される。
【００４５】
尚、上述した方法と異なり、遊技盤扉４を開放する場合、遊技盤扉４のキーホール４２
ｆを開錠状態にした後、遊技盤扉４を一体にして遊技面３１に対して途中まで回動した上
で、ロックレバー４８と連結体４１との係合をはずし、遊技盤扉４を連結体４１と回動体
４２との接続部で折り曲げながら、遊技面３１に対して回動させてもよい。
【００４６】
尚、本発明においては、連結体４１は必ずしも遊技面３１に対して回動軸を中心に回動
するものでなくともよく、遊技面３１を開閉するように回動するものであれば、いかなる
回動軌跡を描くものでもよい。また、回動体４２も必ずしも連結体４１に対して回動軸を
中心に回動するものでなくともよく、いかなる回動軌跡を描くものであってもよい。
【００４７】
本実施形態によれば、遊技面３１の側辺部に第１回動軸Ａ１を中心に回動可能に連結し
た連結体４１と、連結体４１に対して遊技面３１を開放する方向へ、第２回動軸Ａ２を中
心に回動可能に接続された回動体４２によって遊技盤扉４を構成したため、隣接物との干
渉を回避するために、連結体４１の遊技面３１に対する回動量を少なくしても、回動体４
２を連結体４１に対して回動させて遊技面３１の前方を開放することができ、遊技機１の
隣接物に影響を与えずに、遊技面３１に対する作業を容易にすることができる。
【００４８】
また、透明板４３を回動体４２に固定して、連結体４１および回動体４２に跨って配設
し、連結体４１に透明板４３を回避する切欠部４１ｂを形成したことにより、遊技盤扉４
を連結体４１と回動体４２との接続部において折り曲げ可能にしたにもかかわらず、透明
板４３を従来よりも狭小化する必要がない。
【００４９】
また、連結体４１および回動体４２を互いに隣接する部位において支持部材４７にて接
続し、遊技盤扉４が連結体４１と回動体４２との接続部に位置する第２回動軸Ａ２を中心
に折れ曲がる構成としたことにより、簡素な構造の遊技盤扉４にすることができる。
【００５０】
また、連結体４１に取り付けた装飾部材４１ａが、連結体４１および回動体４２の接続
部を覆い隠すように回動体４２方向に張り出していることにより、見栄えのよい遊技盤扉
４とすることができる。また、回動体４２が連結体４１に対して回動する時にその回動を
妨げないように、張り出した装飾部材４１ａが回動体４２から押動されて回動するように
取り付けられていることにより、回動作業性のよい遊技盤扉４とすることができる。
【００５１】
また、変形例においては、回動体４２が連結体４１に対して回動する時に、回動体４２
が張り出した装飾部材４１ａを押動することによって回動体４２が反力を受け、支持部材
４７が連結体４１から突出して、連結体４１および回動体４２の接続部における互いの距
離を増大させるため、装飾部材４１ａが回動体４２の回動を妨げることなく、回動作業性
のよい遊技盤扉４とすることができる。
【００５２】
回動体４２が連結体４１に対して回動していない状態において、透明板４３を装着した
透明板フレーム４４の前端部４４ｂが連結体４１の背面に形成された係合溝４１ｃに係合
することにより、透明板４３と連結体４１との間からピアノ線等を侵入させようとしても
、係合溝４１ｃに嵌装された透明板フレーム４４の前端部４４ｂに阻まれて侵入させるこ
とができず、不正行為を防ぐ遊技機１とすることができる。
【００５３】
また、連結体４１および回動体４２の接続部に、互いに係合することによって回動体４
２が連結体４１に対して遊技面３１を閉じる方向に回動することを規制する凸部４２ｅお
よび凹部４１ｅが形成されたことにより、回動体４２が連結体４１に対して戻り回動する
場合、戻りすぎることがなく、回動作業性のよい遊技盤扉４とすることができる。
【００５４】
更に、連結体４１と係合するロックレバー４８を回動体４２に取り付けたことにより、
回動体４２を連結体４１に対して回動させる必要がない場合に、回動体４２を連結体４１
に固定することができる。
【００５５】
＜第２実施形態＞
次に、本発明の第２実施形態を図８および図９に基づいて、その第１実施形態と異なる
点を中心に説明する。第２実施形態による遊技機１´には、遊技面３１の前方を開閉可能
なように遊技盤扉４´が回動可能に設けられている。遊技盤扉４´は、第１実施形態のも
のに対して、連結体４１の上端部および下端部に固定された一対のステー４９（図８およ
び図９に上側のもののみ示す）の先端部に、回動体４２の上端部および下端部の略中央部
を取り付け、ステー４９の先端部に位置する第２回動軸Ａ２を中心に回動体４２が回動可
能とされている点のみが異なる。
【００５６】
図８および図９に示すように、本実施形態においても、回動体４２が連結体４１に対し
て回動していない状態において、透明板４３が装着された透明板フレーム４４の前端部４
４ｂが連結体４１の背面に形成された係合溝４１ｃに係合している。また、連結体４１と
回動体４２との接続部において、連結体４１に凹部４１ｅを形成し、回動体４２に凸部４
２ｅが形成されているとともに、回動体４２の背面には連結体４１と係合するロックレバ
ー４８が取り付けられている。尚、ステー４９の先端部に取り付けられる回動体４２の部
位は、必ずしも上端部および下端部の略中央部でなければならないわけではなく、連結体
４１に隣接する部位から所定距離だけ内部に入った部位であれば任意の位置において取り
付けることが可能である。
【００５７】
図９に示すように、第２実施形態による遊技盤扉４´は、ロックレバー４８と連結体４
１との係合を解除した後、回動体４２がその略中央部において、ステー４９との取り付け
部位に位置する第２回動軸Ａ２を中心に回動するため、回動体４２が回動しても第１実施
形態のものに比べて、隣接物に対し突出する量が少なく、隣接物への影響を少なくするこ
とができる。
【００５８】
＜第３実施形態＞
図１０は本発明の第３実施形態を示す。本実施形態による遊技機１０１の遊技盤扉１０
４は、第１実施形態による操作領域３４の遊技球受け皿３５に該当する遊技球受け皿１３
３をも含んで一体に構成されている。遊技球受け皿１３３を含んだ遊技盤扉１０４は、第
１実施形態のものと同様に連結体１４１と回動体１４２とで構成され、双方の接続部にお
いて折り曲げ可能となっている。
【００５９】
＜第４実施形態＞
第１実施形態のものにおいて、回動体の連結体に対する回動方向を、連結体の遊技面に
対する回動方向と反対方向とすることによって、遊技盤扉を連結体と回動体との接続部に
おいて山形に折れ曲がり可能にし、遊技面の開放時に、遊技盤扉を山形に折り畳んで遊技
面の側辺部に集約させるように（ちょうど、乗り合いバスのドアを開くように）構成して
もよい。この場合、遊技面の上下端部に回動体の側端部が摺動するレールを設置する、あ
るいは回動体の側端部に遊技面の上下端部と摺動するローラーを取り付けることが好まし
い。
【００６０】
＜他の実施形態＞
本発明は上述の記載および図面によって説明した実施形態に限定されるものではなく、
例えば次のような実施形態も本発明の技術的範囲に含まれ、さらに、以下の記載のもの以
外にも要旨を逸脱しない範囲内で種々変更して実施することができる。
（１）遊技盤扉は遊技面に向かって、その右側辺部に回動可能に取り付けるようにして
もよい。
（２）連結体と回動体との接続部に設けられた支持部材は、連結体を回動可能に支持す
るように回動体に取り付けてもよい。
（３）図５において、張り出した装飾部材を連結体に回動体から離れる方向（図５にお
いて左方）に移動可能に設け、回動体が連結体に対して回動する時には、回動体が装飾部
材を押動することによって、装飾部材が連結体上を回動体から離れる方向へ移動すること
によって、装飾部材が回動体の連結体に対する回動を妨げないようにしてもよい。
（４）回動体の表面に取り付けられた装飾部材を連結体方向に張り出させて、連結体と
回動体との接続部を覆い隠してもよい。
（５）ロックレバーは、回動体と係合するように連結体に回動可能に取り付けてもよい
。
（６）連結体と回動体との接続部において、連結体に凸部を形成し回動体に凹部を形成
してもよい。
（７）連結体を回動体よりも大きく形成し、透明板を連結体に固定して連結体と回動体
とを跨ぐように設置してもよい。
（８）遊技盤扉に遊技球受け皿のみでなく、操作ハンドル、遊技球の排出皿あるいは灰
皿を一体化してもよい。
【図面の簡単な説明】
【００６１】
【図１】第１実施形態における遊技機の正面図である。
【図２】図１に示された遊技機の遊技盤扉を開放したところを示す斜視図である。
【図３】図２に示された遊技機の回動体を連結体に対して回動させたところを示す斜視図である。
【図４】図２に示された遊技機の透明板の取り付け方法を示す斜視図である。
【図５】図２に示された遊技機の回動体と連結体との接続部において、回動体が連結体に対して回動していない状態を示す拡大図（ａ）、および回動体が連結体に対して回動した状態を示す拡大図（ｂ）である。
【図６】回動体と連結体との接続部の変形例において、回動体が連結体に対して回動していない状態を示す拡大図（ａ）、および回動体が連結体に対して回動した状態を示す拡大図（ｂ）である。
【図７】回動体が連結体に対して回動していない状態における、透明板フレームと連結体との係合部位を示す拡大図である。
【図８】第２実施形態における遊技機の、遊技盤扉を開放したところを示す斜視図である。
【図９】図８に示された遊技機の回動体を連結体に対して回動させたところを示す斜視図である。
【図１０】第３実施形態による遊技機の正面図である。
【符号の説明】
【００６２】
１、１´、１０１…遊技機
４、４´、１０４…遊技盤扉
３２…遊技盤
４１、１４１…連結体
４１ａ、４２ａ…装飾部材
４１ｂ…切欠部
４１ｃ…係合溝
４１ｅ…凹部
４２、１４２…回動体
４２ｅ…凸部
４３…透明板
４４…透明板フレーム
４４ｂ…透明板フレームの前端部
４７…支持部材
４８…ロックレバー
４９…ステー
Ａ２…第２回動軸
【図１】
2010022865.tif 000003
【図２】
2010022865.tif 000004
【図３】
2010022865.tif 000005
【図４】
2010022865.tif 000006
【図５】
2010022865.tif 000007
【図６】
2010022865.tif 000008
【図７】
2010022865.tif 000009
【図８】
2010022865.tif 000010
【図９】
2010022865.tif 000011
【図１０】
2010022865.tif 000012